(57)【特許請求の範囲】
【請求項１】
カーテンレール構造は、少なくともスライドガイド棒、前記スライドガイド棒の相対する左右両端に設置する装飾ヘッドを備え、
前記カーテンレール構造は、２個の固定位置決め部を備え、これに２個のサポートフレームに設置する係合ブロックを、相互に対応させ、
これにより、カーテンレール構造と壁面との組合せ状態を構成し、位置決めすることができ、前記固定位置決め部は、前記スライドガイド棒、或いは前記装飾ヘッドの何れかに開設し、前記固定位置決め部は、穿孔で構成し、しかも前記穿孔は、小判型形状を呈し、  前記穿孔の開設状態は、前記スライドガイド棒或いは前記装飾ヘッド端部から、内側へと延伸する形態で、前記スライドガイド棒或いは前記装飾ヘッド端部には、係合ブロック挿入槽を形成し、
前記スライドガイド棒、或いは前記装飾ヘッドの、少なくともその局部部位は、中空の管状形態を呈し、これにより、前記固定位置決め部の穿孔は管壁に開設され、前記サポートフレームは、２個の壁面に固定する壁面固定台、前記壁面固定台と垂直方向を呈する連接棒、及び前記連接棒端部に設置する係合ブロックにより構成し、前記係合ブロックは、前記固定位置決め部の穿孔に進入後、前記スライドガイド棒或いは前記装飾ヘッド内側に接触し、こうして係合、位置決めを達成し、
前記穿孔の小判型形状により、前記サポートフレームの係合ブロックの対応状態を構成し、移動を調整可能な余裕を備え、こうして、前記２個のサポートフレーム間の距離を変更する時の自由度を向上させることができることを特徴とするカーテンレール構造。
【請求項２】
前記連接棒端部と前記係合ブロックには、相互に位置が対応する挿入設置孔及び螺設孔を設置し、ボルトは、前記挿入設置孔を通過し、前記螺設孔に螺合され、これにより、前記連接棒と前記係合ブロックの組合せ状態は、位置決めを達成することを特徴とする請求項１に記載のカーテンレール構造。
【請求項３】
前記係合ブロックの前側に近い周縁には、テーパー状の斜面を設置し、
前記連接棒端部と前記係合ブロックには、相互に位置が対応する挿入設置孔及び螺設孔を設置し、前記ボルトは、前記螺設孔に挿入され、前記係合ブロック前側周縁に設置するテーパー状を呈する斜面位置に対して、回転操作を行い、この際には、前記係合ブロック前端を、前記連接棒方向へと移動させることができ、こうして前記連接棒と前記係合ブロックとは、組合せ及び固定されることを特徴とする請求項１に記載のカーテンレール構造。
【請求項４】
前記スライドガイド棒は、スライド部分、及び前記スライド部分の相対する左右両端に設置する転換部分を備え、
前記転換部分は、前記スライド部分と前記装飾ヘッドとの間に位置し、
前記定位部を前記スライドガイド棒に開設する時、前記固定位置決め部の穿孔の開設位置は、前記スライド部分の相対する左右両端に設置できることを特徴とする請求項１に記載のカーテンレール構造。
【請求項５】
前記スライドガイド棒は、スライド部分、及び前記スライド部分の相対する左右両端に設置する転換部分を備え、
前記転換部分は、前記スライド部分と前記装飾ヘッドとの間に位置し、
前記定位部を前記スライドガイド棒に開設する時、前記固定位置決め部の穿孔の開設位置は、前記転換部分の予定位置に開設することができることを特徴とする請求項１に記載のカーテンレール構造。
【請求項６】
前記転換部分の一端は、弾性材料により製造されるアダプタで、
前記アダプタは、前記スライド部分一端内部において、緊密に位置決めされることを特徴とする請求項４に記載のカーテンレール構造。
【請求項７】
前記転換部分は、ボルト及びナットにより組成される螺合固定部品で、前記アダプタを、前記転換部分の一端に組み合わせて接続することを特徴とする請求項６に記載のカーテンレール構造。
【請求項８】
前記アダプタ表面には、数本のリブを取り囲むように設置することを特徴とする請求項７に記載のカーテンレール構造。
【発明の詳細な説明】
【技術分野】
【０００１】
本発明はカーテンレール構造に関し、特に小判型形状に開いた穴である固定位置決め部を備えるカーテンレール構造に関する。
【背景技術】
【０００２】
カーテンは、カーテンレール、或いはカーテンポールを壁面、窓枠、或いは天井に取り付け、それに相当する面積を備える布を広げて掛け、その布面により窓全体を覆い、日照を遮り、或いはインテリアとするものである。
【０００３】
一般のカーテンレールは、２個のサポートフレームにより、壁面に固定される。使用においては、先ず、２個のサポートフレームを間隔を開けて平行に壁面に固定する。次に、カーテンレールに設置する２個の固定位置決め部と２個のサポートフレームを、相互に対応させて位置を合わせ固定する。
【０００４】
しかし、上記したカーテンレールとサポートフレームの位置決め構造は、設計において、欠点があることが判明した。すなわち、カーテンレールの２個の固定位置決め部間の距離は、２個のサポートフレーム間の距離と正確に等しくなければならない。このため、２個のサポートフレーム間の距離を変更すると、カーテンレールの固定位置決め部を、正確に対応させることは難しく、施工における難易度を高くしてしまう。
本発明は、従来のカーテンレール構造の上記した欠点に鑑みてなされたものである。
【発明の概要】
【発明が解決しようとする課題】
【０００５】
本発明が解決しようとする課題は、理想的な実用性を備えたカーテンレール構造を提供することである。
【課題を解決するための手段】
【０００６】
上記課題を解決するため、本発明は下記のカーテンレール構造を提供する。
カーテンレール構造は、少なくともスライドガイド棒、該スライドガイド棒の相対する左右両端に設置する装飾ヘッドを備え、
該カーテンレール構造は、２個の固定位置決め部を備え、これに２個のサポートフレームに設置する係合ブロックを、相互に対応させ、
これにより、カーテンレール構造と壁面との組合せ状態を構成し、位置決めすることができ、該固定位置決め部は、該スライドガイド棒、或いは該装飾ヘッドの何れかに開設し、該固定位置決め部は、穿孔で構成し、しかも該穿孔は、小判型形状を呈し、該穿孔の小判型形状により、該サポートフレームの係合ブロックの対応状態を構成し、移動を調整可能な余裕を備え、
こうして、該２個のサポートフレーム間の距離を変更する時の自由度を向上させることができる。
【発明の効果】
【０００７】
本発明のカーテンレール構造は、スライドガイド棒或いは装飾ヘッドの何れかが、２個の固定位置決め部を備え、固定位置決め部は穿孔を形成し、穿孔は小判型形状を備えるため、サポートフレームの対応状態に、位置調整時の余裕を備え、こうして２個のサポートフレーム間の距離を変更する際の自由度を向上させるという目的を達成することができ、多様で幅広い適用性を備える。さらに、本発明のカーテンレール構造の組合せの面では、壁面との位置決めは、サポートフレームの係合ブロックと穿孔との相互対応によるため、カーテンレール構造とサポートフレームとの組合せ部位は、外から見えず、こうしてカーテンレール構造の外観は、組合せ要因の干渉を全く受けない。すなわち、カーテンレール構造の正面から見た際の美観を大幅に向上させることができる。
【図面の簡単な説明】
【０００８】
【図１】本発明第一実施例の組合せ立体図である。
【図２】固定位置決め部をスライドガイド棒に設置する様子を示す本発明第一実施例の分解立体図である。
【図３】固定位置決め部をスライドガイド棒に設置する様子を示す本発明第一実施例の局部分解平面図である。
【図４】固定位置決め部をスライドガイド棒に設置する様子を示す本発明第一実施例の局部組合せ断面図である。
【図５】固定位置決め部を装飾ヘッドに設置する様子を示す本発明第一実施例の局部分解立体図である。
【図６】本発明第二実施例の局部分解立体図である。
【図７】本発明第二実施例の局部分解立体図である。
【図８】本発明第二実施例の局部組合せ断面図である。
【図９】本発明第三実施例の分解立体図である。
【図１０】本発明第三実施例の局部組合せ断面図である。
【図１１】本発明第三実施例の局部組合せ断面図である。
【発明を実施するための形態】
【０００９】
以下に図面を参照しながら本発明を実施するための最良の形態について詳細に説明する。
【実施例】
【００１０】
図１〜５に示すように、本発明カーテンレール構造の第一実施例は、少なくともスライドガイド棒１１、スライドガイド棒１１の相対する左右両端に設置する装飾ヘッド１２を備える。カーテンレール構造は、２個の固定位置決め部１３を備え、これに２個のサポートフレーム１４に設置する係合ブロック１５を、相互に対応させる。これにより、カーテンレール構造と壁面との組合せ状態を構成し、位置決めすることができる。固定位置決め部１３は、スライドガイド棒１１ (図２〜４参照)、或いは装飾ヘッド１２(図５参照)の何れかに開設する。固定位置決め部１３は、穿孔１３１を構成し、しかも穿孔１３１は、小判型形状を呈する。
【００１１】
穿孔１３１の小判型形状により、サポートフレーム１４の係合ブロック１５の対応状態を構成し、移動を調整可能な余裕を備える。こうして、サポートフレーム１４間の距離を変更する時の自由度を向上させることができる。
【００１２】
穿孔１３１の開設状態は、スライドガイド棒１１或いは装飾ヘッド１２端部から、内側へと伸びる形状である。スライドガイド棒１１或いは装飾ヘッド１２端部には、係合ブロック挿入槽１３２を形成する(図５参照)。係合ブロック１５は、係合ブロック挿入槽１３２から挿入され、穿孔１３１へ進入する。
【００１３】
図２、或いは図５に示すように、スライドガイド棒１１或いは装飾ヘッド１２の、少なくともその局部部位は、中空の管状形態を呈する。これにより、固定位置決め部１３の穿孔１３１は管壁に開設される。サポートフレーム１４は、２個の壁面に固定する壁面固定台１７、壁面固定台１７と垂直方向を呈する連接棒１８、及び連接棒１８端部に設置する係合ブロック１５により構成する。係合ブロック１５は、固定位置決め部１３の穿孔１３１に進入後、スライドガイド棒１１或いは装飾ヘッド１２内側に接触し、こうして係合、定位を達成することができる。連接棒１８端部と係合ブロック１５には、相互に位置が対応する挿入設置孔１８１及び螺設孔１５１を設置する。ボルト１９は、挿入設置孔１８１を通過し、螺設孔１５１に螺合される。これにより、連接棒１８と係合ブロック１５の組合せ状態は、定位を達成する。
【００１４】
図６〜８に示すように、本発明の第二実施例の基本構造は、第一実施例と相同であるため、再度の詳述は行わない。両者の相違は、スライドガイド棒１１が、スライド部分１１０、及びスライド部分１１０の相対する左右両端１１０１に設置する転換部分１１２を備える点である。転換部分１１２は、スライド部分１１０と装飾ヘッド１２との間に位置する。固定位置決め部１３をスライドガイド棒１１に開設する時、固定位置決め部１３の穿孔１３１の開設位置は、スライド部分１１０の相対する左右両端に設置でき、或いは転換部分１１２の予定位置に開設することができる(図６参照)。
【００１５】
各転換部分１１２の一端１１２０は、ボルト１１２１１及びナット１１２１２により構成される螺合固定部品１１２１により、弾性材料(ゴムなど)を組み合わせて接続し構成するアダプタ１１２２である。アダプタ１１２２表面には、数本のリブ１１２２１を取り囲むように設置する。これにより、アダプタ１１２２を、スライド部分１１０の一端１１２０内部に挿入する時、転換部分１１２とスライド部分１１０とを、回して位置を調整することができる。位置を調整する時には、螺合固定部品１１２１のボルト１１２１１により、再度、ナット１１２１２に対して回す操作を行う。これにより、ナット１１２１２は、転換部分１１２反対端へと移動し、弾性材料により製造するアダプタ１１２２の前端１１２２２に対して、中心から外へと拡張する施力を形成する。こうして、アダプタ１１２２は、スライド部分１１０一端１１２０内部において緊密に固定され、転換部分１１２は、スライド部分１１０の相対する左右両端１１０１に設置される。
【００１６】
図９〜１１に示すように、本発明の第二実施例の基本構造は、第一実施例と相同である。スライドガイド棒１１或いは装飾ヘッド１２はやはり、中空の管形状を呈し、固定位置決め部１３の穿孔１３１を管壁に開設する。サポートフレーム１４は、２個の壁面に固定する壁面固定台１７、壁面固定台１７と垂直方向を呈する連接棒１８、及び連接棒１８端部に設置する係合ブロック２０により構成する。係合ブロック２０は、固定位置決め部１３の穿孔１３１に進入後、スライドガイド棒１１或いは装飾ヘッド１２内側に接触し、こうして係合、定位を達成することができる。第一実施例との相違は、係合ブロック２０の前側に近い周縁には、テーパー状の斜面２０１を設置する。連接棒１８端部と係合ブロック２０には、相互に位置が対応する挿入設置孔１８２及び螺設孔１８３を設置する。ボルト２１は、螺設孔１８３に挿入され、係合ブロック２０前側周縁に設置するテーパー状を呈する斜面２０１位置に対して、回転操作を行う。この際には、係合ブロック２０前端を、連接棒１８方向へと移動させることができ、こうして連接棒１８と係合ブロック２０とは、組合せ及び定位される。
【００１７】
上記した構造により構成される本発明のカーテンレールは、穿孔１３１が小判型形状を呈するという特徴を備える。これにより、サポートフレーム１４の係合ブロック１５、２０の対応状態は、位置調整の余裕を備えることができる。こうして、２個のサポートフレーム１４間の距離を変更する際の自由度を向上させるという目的を達成することができ、多様で幅広い適用性を備える。カーテンレールと壁面の位置決めは、サポートフレーム１４の係合ブロック１５、２０と穿孔１３１の相互対応により、カーテンレール構造とサポートフレーム１４の組合せ部位は、見えない状態となる効果を備える(カーテンレール構造を正視した時、カーテンレール本体が組合せ部位を遮るため、正面から見ると、組合せ部位が見えない)。そのため、カーテンレール構造の外観は、組合せ要因の干渉を全く受けない(図１参照)。すなわち、カーテンレール構造の正面から見た際の美観を大幅に向上させることができる。
【００１８】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【符号の説明】
【００１９】
１１  スライドガイド棒
１１０  スライド部分
１１０１  左右両端
１１２  転換部分
１１２０  一端
１１２１  螺合固定部品
１１２１１  ボルト
１１２１２  ナット
１１２２  アダプタ
１１２２１  リブ
１１２２２  前端
１２  装飾ヘッド
１３  固定位置決め部
１３１  穿孔
１３２  係合ブロック挿入槽
１４  サポートフレーム
１５  係合ブロック
１５１  螺設孔
１７  壁面固定台
１８  連接棒
１８１  挿入設置孔
１８２  挿入設置孔
１８３  螺設孔
１９  ボルト
２０  係合ブロック
２０１  斜面
２１  ボルト
【図１】
0005463344.tif 000002
【図２】
0005463344.tif 000003
【図３】
0005463344.tif 000004
【図４】
0005463344.tif 000005
【図５】
0005463344.tif 000006
【図６】
0005463344.tif 000007
【図７】
0005463344.tif 000008
【図８】
0005463344.tif 000009
【図９】
0005463344.tif 000010
【図１０】
0005463344.tif 000011
【図１１】
0005463344.tif 000012